(57)【要約】【課題】趣向に富んだ植木鉢その他のオブジェの提供とともに、鉢皿内の水が腐ったり、渇水してしまったりしないようにすることで、植木や植物が腐ったり枯れたりすることを防止する。【解決手段】植木鉢３が載置される置き板６を有する鉢皿５と、この鉢皿５の下流側に位置する給水用の水槽７と、この水槽７から前記鉢皿５に給水するチューブ９と、このチューブ９を介して前記鉢皿５に前記水槽７から水を輸送する動力源としてのポンプ１１とを備え、前記置き板６が前記水槽７に対して傾斜されている植木鉢の給水システム１。【選択図】図１
2004135636.tif 000002
【特許請求の範囲】
【請求項１】
植木鉢が載置される置き板を有する鉢皿と、
この鉢皿の下流側に位置する給水用の水槽と、
この水槽から前記鉢皿に給水するチューブと、
このチューブを介して前記鉢皿に前記水槽から水を輸送する動力源としてのポンプとを備え、
前記置き板が前記水槽に対して傾斜されている植木鉢の給水システム。
【請求項２】
前記鉢皿に輸送された鉢皿上の水量が所定量以上貯まったりまたは所定量に達しない場合にこれを検知する検知センサと、
この検知センサによる検知情報に基づいて報知する報知手段とを有する請求項１に記載の植木鉢の給水システム。
【請求項３】
前記報知手段は、報知ブザーまたは／及び報知ランプであることを特徴とする請求項２に記載の植木鉢の給水システム。
【発明の詳細な説明】
【０００１】
【発明の属する技術分野】
本発明は植木鉢への給水システムに関する。
【０００２】
【従来の技術】
図３は従来の植木鉢を給水用の鉢皿に載置し、鉢皿に水を入れてある状態を示す。植木鉢３００はその底面３０２及び周壁３０４にそれぞれ給水用の孔３０６及び３０８を有し、これらの孔３０６及び３０８を介して鉢内の土に水が下から上に浸透し、植木への給水がなされる。
【０００３】
【発明が解決しようとする課題】
ところで、このような鉢皿を介した給水では、皿に入れた貯留水は流れないので、長い間水を取り替えないと水が腐ったり、渇水してしまったりする場合があり、その場合、鉢内の植物が枯れてしまうことがあった。
【０００４】
本発明は、斯かる実情に鑑みてなされたものであり、その解決しようとする課題は、鉢皿内の水が腐ったり、渇れてしまったりすることを未然に防止できる新規な植木鉢への給水システムを提供することにある。
【０００５】
【課題を解決するための手段】
そこで本発明は次のような手段を採用した。
【０００６】
すなわち、本発明植木鉢の給水システムは、植木鉢が載置される置き板を有する鉢皿と、この鉢皿の下流側に位置する給水用の水槽と、この水槽から前記鉢皿に給水するチューブと、このチューブを介して前記鉢皿に前記水槽から水を輸送する動力源としてのポンプとを備え、前記置き板が前記水槽に対して傾斜されている。
【０００７】
本発明にあっては植木鉢を載置してある鉢皿の置き板が傾斜しており、鉢皿の下流側に水槽があるので、鉢皿に給水されると流水は植木鉢に向かって流れる。このため鉢皿には常に水が流れるため、水が腐ったり、渇水してしまったりすることがない。
【０００８】
また、前記鉢皿に輸送された鉢皿上の水量が所定量以上貯まったりまたは所定量に達しない場合にこれを検知する検知センサと、この検知センサによる検知情報に基づいて報知する報知手段とを設けることも考えられる。報知手段としては、例えば報知ブザーや報知ランプを例示できる。報知用のブザーやランプは単独で利用しても併用してもよい。
【０００９】
本発明では検知センサによって鉢皿に所定量の水が溜まるとこれを報知手段が報知するので、何らかの原因により鉢皿に水が溜まった場合でも、報知を受けた管理者がすぐに対応できるので、溜まった水が長い間放置されることがない。よって水が腐ったりすることがない。
検知センサは、鉢皿への貯水量が所定量に達しない場合にもこれを検知して管理者に報知するので、何らかの原因で置き板に給水がなされない場合でも管理者の対応を迅速にできるため渇水の心配もない。
【００１０】
【発明の実施の形態】
以下、本発明植木鉢への給水システムの実施の形態を図示例と共に説明する。
植木鉢への給水システム１は、植木鉢３が載置される鉢皿５と、この鉢皿５の下流側に位置する給水及び排水用の水槽７と、この水槽７から鉢皿５に給水するチューブ９と、このチューブ９を介して鉢皿５に水槽７から水を輸送する動力源としてのポンプ１１とを備えている。
【００１１】
そして、鉢皿５は、升形状の筐体４と、この筐体４に組み込まれている植木置き場となる置き板６とを有し、置き板６が水槽７に対して僅かに傾斜して設けられている。
【００１２】
また、鉢皿５には、置き板６に輸送された水の量が所定量以上貯まったりまたは所定量に達しない場合にこれを検知する検知センサ１３と、この検知センサ１３による検知情報に基づいて報知する報知手段としての図示しない報知ブザーや報知ランプが装着されている。
【００１３】
なおチューブ９のうち水が出る先端開口は、鉢皿５そのものに取り付けてもまたは植木に取り付けてもどちらでもよい。
【００１４】
次に本実施形態の作用効果を述べる。
本実施形態に係る植木鉢への給水システム１にあっては、植木鉢３を載置してある鉢皿５の置き板６が傾斜しており、鉢皿５の下流側に水槽７があるので、鉢皿５にチューブ９から給水されると、置き板６上を水が流れて植木鉢３に向かい、その後水槽７に入る。このため鉢皿５には常に水が流れるようになる。したがって、水が腐ったり渇水したりすることがない。
【００１５】
また、検知センサ１３によって鉢皿５に所定量の水が溜まるとこれを報知手段であるブザーやランプによって管理者に報知されるので、何らかの原因により水が流れずに鉢皿５に溜まってしまっても、報知を受けた管理者がすぐに対応できる。よって、溜まった水が腐る前に対処できる。
【００１６】
さらに、検知センサ１３は、鉢皿５への貯水量が所定量に達しない場合にもこれを検知して管理者に報知するので、何らかの原因で置き板に給水がなされない場合でも管理者の対応を迅速にできるため渇水の心配もない。
【００１７】
加えて本発明植木鉢の給水システム１にあっては、鉢皿５の筐体４は升形状をしているので、複数の鉢皿５同士の組み合わせは如何様にもなる。このため、展示場の形態に合わせて様々な形態に複数の鉢皿５，５，・・・を組み替えることも考えられるので、変化に富んだオブジェを提供できる。
【００１８】
なお、筐体４を構成する側壁を蛇腹状に構成すれば、筐体４内に入れらる鉢皿５の形も変えられるようになるので、一層変化に富んだ様々な形態の鉢皿延いてはオブジェの提供が可能になる。
【００１９】
また、鉢皿５に盛られるものは植木だけに限られない。例えば日本庭園をイメージするような例えば灯籠その他の各種ミニチュアを鉢皿５に設置することもできる。この場合、前記検知センサ１３を例えば、前記灯籠内に組み込むことで検知センサ１３の存在を目立たなくすることもできる。
【００２０】
【発明の効果】
以上説明したように、本発明植木鉢への給水システムによれば、制作者の好みに合わせて鉢皿のアレンジが可能であるから、趣向に富んだオブジェの提供ができる。併せて、鉢皿内の水が腐ったり、渇水してしまったりすることを防止できるので、植木や植物が腐ったり枯れたりしてしまうことがない。
【図面の簡単な説明】
【図１】本発明植木鉢への給水システムを概念的に示す縦断面図である。
【図２】図１の斜視図である。
【図３】従来技術を説明するための図である。
【符号の説明】
１　給水システム
３　植木鉢
４　筐体
５　鉢皿
６　置き板
７　水槽
９　チューブ
１１　ポンプ
１３　検知センサ
３００　植木鉢
３０２　底面
３０４　周壁
３０６，３０８　吸水用の孔
【図１】
2004135636.tif 000003
【図２】
2004135636.tif 000004
【図３】
2004135636.tif 000005